(57)【要約】【課題】 使い捨て式お腹に空気がたまることを防止する哺乳瓶セットを提供する。【解決手段】  主にお腹に空気がたまることを防止する乳首、上蓋、下蓋、紙コップにより組成する。該下蓋は適当な長さの蓋本体を備え、下から上へと口径が徐々に広がる該紙コップ底部に嵌入し、上方へと該コップ口下方を貫通し組み合わせ、その上縁面は該紙コップフランジ部下縁に接触定位する。該お腹に空気がたまることを防止する乳首の上部底盤の数個の様々な定位連結柱は、該吸い付き部周辺に環状に位置し、該上蓋の相互に対応する数個の様々な定位導入孔に穿入し、相互に対応する内凹状導気管と導気孔と外導気孔の定位を達成する。該上蓋面中央には固定孔を開設し、該吸い付き部は固定基底を貫通し、内部にはネジヤマ部位、欠口係合口、嵌入リングを設置する。【選択図】  図１
0003137426.tif 000002
【実用新案登録請求の範囲】
【請求項１】
主に使い捨て式お腹に空気がたまることを防止する哺乳瓶セットは紙コップ上部にフランジを設置し、それは下から上へと口径が徐々に広がるコップ体で、お腹に空気がたまることを防止する乳首、上蓋、下蓋を含み、
該お腹に空気がたまることを防止する乳首は上部底盤に外導気孔と数個の様々な定位連結柱を設置し、吸い付き部周辺に環状に位置し、下部底盤周辺の適当な位置には弾性嵌合リングと欠口を設置し、該弾性嵌合リング外周部の底盤は止水リングで、該紙コップフランジ部上縁にちょうど位置し、 
該上蓋は該蓋本体内縁にネジヤマ部位を設置し、該蓋面上中央には固定孔を開設し、該固定孔周辺には導気孔と数個の様々な定位導入孔を設置し、該蓋面下外周部には嵌入リングと欠口係合口を設置し、
該下蓋は適当な長さの蓋本体を備え、該紙コップと組合せる固定性を提供し、該蓋本体上部には該上蓋と相同規格のネジヤマ部位を設置し、その上縁面は該紙コップフランジ部下縁にちょうど接触定位し、
該お腹に空気がたまることを防止する乳首の止水リングの弾性により、該下蓋上縁面は該フランジ上、下縁を挟持し、該上、下蓋を螺合し、該止水リングと該フランジを緊密に圧迫し、両者はフランジ構造を破壊しないという状態において、適当な相互密着及び脱離せず、漏れない緊密度の実用効果を提供し、完全使い捨て式の利便性と食用レベルの衛生性を達成し、しかも該下蓋は液体ミルクに直接接触しないため、繰り返し使用可能であることを特徴とする使い捨て式お腹に空気がたまることを防止する哺乳瓶セット。
【請求項２】
前記上蓋と該お腹に空気がたまることを防止する乳首は使い捨て部品で、低価格かつ衛生的な材質を使用し製造し、それは相互に粘着し一体に結合するため、耐用性を向上させることができることを特徴とする請求項１記載の使い捨て式お腹に空気がたまることを防止する哺乳瓶セット。
【考案の詳細な説明】
【技術分野】
【０００１】
本考案は一種の使い捨て式お腹に空気がたまることを防止する哺乳瓶セットに関する。特に一種のお腹に空気がたまることを防止する乳首の上部底盤と止水リングの弾性特質を運用し、上部底盤は上蓋の上に位置し、蓋面の上全体をほぼ覆蓋し、幼児が長時間吸い付き、その唇が直接該部分に強く接触しても、両者間は適当な圧力を保持可能で、唇が直接硬物に強く当たることによる疼痛感の発生を回避可能で、該止水リングと該下蓋上縁面は該フランジ上、下縁を挟持し、該上、下蓋を螺合し、該止水リングと該フランジを緊密に圧迫し、該止水リングは圧力を受け陥没し、弾性回復力作用を備え、これにより両者は該フランジ構造を破壊せず、適当な相互密着及び脱離せず、漏れることもなく、外出時に清浄な水を得にくく、消毒を行うこともできなくても、該お腹に空気がたまることを防止する乳首と該紙コップは液体ミルクに直接接触するため、使用後数時間の内には細菌の繁殖が始まるが、液体ミルクに直接接触した器具は使用後随時廃棄し、下蓋は液体ミルクに接触しないため、保留し再使用することができる使い捨て式お腹に空気がたまることを防止する哺乳瓶セットに係る。
【背景技術】
【０００２】
市販の一般の哺乳瓶セット（図５、６参照）主要構造の機能は耐熱、抗菌、吸い付き易さ、防気脹等であるが、これらは家庭内での使用に対して設計された製品であるため、外出時には、哺乳瓶セットの洗浄、消毒殺菌等で極めて不便である。これに対して今では簡易使い捨て式哺乳瓶セットも市販されているが、やはり洗浄が必要な部品があり、完全な使い捨ての形式ではなく、旧型の未改良哺乳瓶セットの欠点をも残している。
【考案の開示】
【考案が解決しようとする課題】
【０００３】
本考案が解決しようとする課題は以下の3点である。
1.     
乳児或いは離乳前の幼児の外出時には、ミルクを飲ませた後の哺乳瓶セットの洗浄が問題として存在する。つまり洗浄用水を特別に携帯しなければならず、或いは水がある所を探す必要がある。さらには必要時に備えて、公知の哺乳瓶セットを数個携帯する場合には、殺菌処理を経ていないため、細菌が残留し或いは繁殖している可能性があり、父母にとって行動上の不便となっており、また幼児が腹痛や下痢を起こす可能性を増大させている。
2.     
公知の簡易使い捨て式哺乳瓶セットはボトル本体が使い捨て式であるのみで、完全な使い捨て式哺乳瓶セットではなく、やはり洗浄、殺菌が必要である。しかもミルクを飲んでいる時にお腹に空気がたまるという問題もある。
3.     
幼児が公知の哺乳瓶セットに吸い付く時、唇部は直接哺乳瓶蓋部分に強く接触するため、それが長時間になると唇周辺が紅くなる現象が見られ、疼痛感を生じることもある。
【課題を解決するための手段】
【０００４】
上記課題を解決するため、本考案は下記の使い捨て式お腹に空気がたまることを防止する哺乳瓶セットを提供する。
それは主に、下蓋は紙コップ底部上方へとコップ口下方に嵌設し、その上縁面と該紙コップフランジ下縁は接触固定し、お腹に空気がたまることを防止する乳首の数個の定位連結柱と欠口と弾性嵌合リングは該上蓋の相互に対応する数個の定位導入孔と欠口係合口と嵌入リングに穿入嵌設し、しかも導気管と導気孔と外導気孔もまた相互に対応し組合わさり、吸い付き部は固定孔を貫通し、該お腹に空気がたまることを防止する乳首と該上蓋は相互に一体を呈し、該下蓋は同規格のネジヤマ部位と螺合し、該弾性嵌合リングは該紙コップ口内縁に密着入し、該止水リングは該フランジ部上縁に位置し、
該乳首の弾性材質と該止水リングの弾性回復力特性を運用し、該上、下蓋が緊密に螺合する時、該止水リングと該フランジは圧迫され、該止水リングの弾性作用により、該フランジ構造は強い力を受けても破壊されず、適当な緊密度で挟持され、その構造は脱離せず、また液体が外に漏れることもなく、使用後は、該上蓋と該お腹に空気がたまることを防止する乳首と紙コップなどの液体ミルクが付着する器具は廃棄し、哺乳瓶洗浄が不要な衛生安全作用を達成し、
さらにそれはお腹に空気がたまることを防止する乳首、上蓋、下蓋、紙コップにより組成し、
該お腹に空気がたまることを防止する乳首は中空逆漏斗型で、底部位フランジ下側は下方へと少なくとも哺乳瓶口のネジヤマ長さを超え延伸し、しかも末端は封鎖状を呈する錐状凸伸管で、フランジ頂面の管孔端側は下方に向かって内凹状の導気管を延伸し、
該乳首構造はお腹に空気がたまることを効果的に防止可能で、
該乳首は弾性材料により製造し、該止水リングも弾性回復力特性を具えるため、該上、下蓋に緊密に螺合する時、該止水リングと該フランジは圧迫されても、該止水リングの弾性により、該フランジ構造は外力によっても変形せず、適当な緊密度で挟持され、その構造は脱離せず、液体が外に漏れることもなく、使用後は、該上蓋と該お腹に空気がたまることを防止する乳首と紙コップなどの液体ミルクが付着する器具は廃棄し、細菌の繁殖を回避し、完全な使い捨て式乳首セットを実現し、
またそれはお腹に空気がたまることを防止する乳首の上部底盤は上蓋の上に位置し、ほとんど蓋面全体を覆い、幼児が長時間吸い付き、その唇が直接該部分に強く接触しても、両者間は適当な圧力を保持可能で、該唇が硬物に直接強く接触することによる疼痛感の発生を防止することができる。
【考案の効果】
【０００５】
上記のように、本考案はお腹に空気がたまることを防止する乳首の上部底盤と止水リングの弾性特質を運用し、上部底盤は上蓋の上に位置し、蓋面の上全体をほぼ覆蓋し、幼児が長時間吸い付き、その唇が直接該部分に強く接触しても、両者間は適当な圧力を保持可能で、唇が直接硬物に強く当たることによる疼痛感の発生を回避可能である。該止水リングと該下蓋上縁面は該フランジ上、下縁を挟持し、該上、下蓋を螺合し、該止水リングと該フランジを緊密に圧迫し、該止水リングは圧力を受け陥没し、弾性回復力作用を備え、これにより両者は該フランジ構造を破壊せず、適当な相互密着及び脱離せず、漏れることもない。外出時に清浄な水を得にくく、消毒を行うこともできなくても、該お腹に空気がたまることを防止する乳首と該紙コップは液体ミルクに直接接触するため、使用後数時間の内には細菌の繁殖が始まるが、液体ミルクに直接接触した器具は使用後随時廃棄し、下蓋は液体ミルクに接触しないため、保留し再使用することができる。
【考案を実施するための最良の形態】
【０００６】
図１、３、４、５、６に示すように、本考案はお腹に空気がたまることを防止する乳首3、上蓋2、下蓋5、紙コップ4により組成する。
該お腹に空気がたまることを防止する乳首3は中空逆漏斗型で、底部位フランジ下側は下方へと少なくとも哺乳瓶口のネジヤマ長さを超え延伸し、しかも末端は封鎖状を呈する錐状凸伸管で、フランジ頂面の管孔端側は下方に向かって内凹状の導気管331を延伸する（これは公知案で、本考案の特徴ではないため詳述しない）。
該お腹に空気がたまることを防止する乳首3の上部底盤32の適当な位置には外導気環322を開設する。該吸い付き部31上に環状に位置する基部周辺には数個の様々な定位連結柱321を設置し、これにより上蓋を貫通し該上蓋の上において定位し、しかも下部底盤33に連結し、こうして該上蓋2の導気孔22と該外導気孔322は相対し定位する。該下部底盤33は中空弾性嵌合リング333を設置し、ちょうど該紙コップ内縁413に密着入する。該弾性嵌合リング333外周部の下部底盤33は止水リング334で、該下部底盤33の周囲辺には欠口332を開設し、該上部底盤32の導気孔22と同方向を呈する。
【０００７】
該上蓋2は該上部底盤32と該下部底盤33の間に位置し、その蓋本体25内縁にはネジヤマ部位24を設置する。蓋面26上中央には固定孔23を開設し、該固定孔23周辺には数個の様々な定位導入孔21と導気孔22及び該乳首上部底盤32の数個の様々な定位連結柱321と外導気管322を設置する。さらに該下部底盤33の内凹状導気管331と相互に対応する。該蓋面26下周辺と蓋本体の接する位置には欠口係合口28を設置し、これにより該下部底盤33の欠口332は嵌入固定される。しかも適当な位置には嵌入リングを設置し、それは該下部底盤33の弾性嵌合リング333中に嵌入する。
該下蓋5は適当な長さの蓋本体52を備え、該紙コップ4と組合せる固定性を提供する。該蓋本体52上部には該上蓋2と相同規格のネジヤマ部位51を設置し、これにより相互に螺合可能で、その上縁面511はちょうど該紙コップ4フランジ部下縁412に接触固定する。
該紙コップ4は上部にフランジ41を設置し、しかもそれは下から上へと口径が徐々に広がるコップ体である。
【０００８】
図１、２に示すように、該下蓋5を該紙コップ4底部から上方へと嵌め組合せ、該紙コップ4のコップ口下方に嵌設し、その上縁面511と該紙コップ4フランジ部下縁412はちょうど相互に接触固定する。
該上部底盤32の数個の様々な定位連結柱321、該下部底盤33の欠口332、該弾性嵌合リング334は該上蓋2と相互に対応する数個の様々な定位導入孔21、欠口係合口28、嵌入リング27に穿入し嵌合し、しかも該導気管331と該導気孔22と該外導気管もまた相互に対応し組合わさる。該固定孔23により該吸い付き部31は基台底部を貫通し固定され、該お腹に空気がたまることを防止する乳首3と該上蓋2は相互に穿入嵌設し一体を呈する。こうして該上蓋2は該紙コップ4上を覆蓋し、該下蓋5と同規格のネジヤマ部位51と螺合する。該弾性嵌合リング333は該紙コップ口内縁413にちょうど密着入し、該止水リング334は該フランジ部上縁411に位置する。
該乳首3は弾性材質により製造するため、該止水リング334もまた弾性回復力の同一特性を具える。該上、下蓋2、5が緊密に螺合する時、該止水リング334と該フランジ41は圧迫され、該止水リング334の弾性作用により、該フランジ41構造は強い力を受けても破壊することはなく、適当な緊密度で挟持され、脱離及び液体が漏れる恐れもない。しかも該上部底盤32は該上蓋2の上に設置するため、幼児が長時間吸い付いても、唇は直接該部分に接触し、両者間は適当な圧力を保持し、疼痛感を生じることはない。
【０００９】
該お腹に空気がたまることを防止する乳首3と該上蓋2は相互に穿入嵌設し一体を呈する。そのために、該上蓋2完成品を該お腹に空気がたまることを防止する乳首3のモールド成型型中に入れ、モールド内に成型液を入れ、該成型液を空間に充満させ、数個の様々な定位導入孔21より該上蓋2に流入させ、こうして両者を結合し完全体と成す。
これらと該紙コップ4は液体ミルクと直接接触するため、使用完了後数時間で細菌の繁殖が始まる。外出時には洗浄のための水を見つけることは困難で、しかも消毒装置により殺菌も行わないため、使用後は随時廃棄する。該下蓋5は液体ミルクに接触しないため、保留し再使用が可能で、使い捨て式の利便性と食用レベルの衛生性を完全に達成することができる。
【００１０】
本考案はお腹に空気がたまることを防止する乳首3の弾力特性により、該上部底盤32が直接幼児の唇に接触し幼児が長時間吸い付きても、疼痛感を生じることがないという実用効果を具える。
該下部底盤33の弾性嵌合リング334と該下蓋5上縁面511は該フランジ部上、下縁411、412を挟持し、該上、下蓋2、5を螺合し、該止水リング324と該フランジ41を圧迫するが、破壊されないフランジ41構造により、適当な緊密度を具える実際効果を具える。
こうして完全使い捨て式の利便性と食用レベルの衛生性を達成する。
【図面の簡単な説明】
【００１１】
【図１】本考案使い捨て式お腹に空気がたまることを防止する哺乳瓶セットの立体分解図である。
【図２】本考案使い捨て式お腹に空気がたまることを防止する哺乳瓶セットの断面図である。
【図３】本考案お腹に空気がたまることを防止する乳首構造の立体図である。
【図４】本考案上蓋構造の立体図である。
【図５】本考案お腹に空気がたまることを防止する乳首構造の断面図である。
【図６】本考案上蓋構造の断面図である。
【図７】公知の哺乳瓶セットの立体図である。
【図８】公知の哺乳瓶セットの断面図である。
【図９】本考案使い捨て式お腹に空気がたまることを防止する哺乳瓶セットの立体図である。
【符号の説明】
【００１２】
２      上蓋
２１    定位導入孔
２２    導気孔
２３    固定孔
２４    上蓋ネジヤマ部位        
２５    上蓋本体
２６    上蓋面
２７    嵌入リング
２８    欠口係合口
３      お腹に空気がたまることを防止する乳首
３１    吸い付き部
３２    上部底盤
３２１  定位連結柱
３２２  外導気孔
３３    下部底盤
３３１  導気管
３３２  欠口
３３３  弾性嵌合リング
３３４  止水リング
４      紙コップ
４１    フランジ
４１１  フランジ部上縁
４１２  フランジ部下縁
４１３  紙コップ内縁
５      下蓋
５１    下蓋ネジヤマ部位
５１１  下蓋上縁面
５２    下蓋本体
Ｍ      液体ミルク
６      公知の哺乳瓶セット
６１    乳首
６２    蓋
６３    哺乳瓶
【図１】
0003137426.tif 000003
【図２】
0003137426.tif 000004
【図３】
0003137426.tif 000005
【図４】
0003137426.tif 000006
【図５】
0003137426.tif 000007
【図６】
0003137426.tif 000008
【図７】
0003137426.tif 000009
【図８】
0003137426.tif 000010
【図９】
0003137426.tif 000011